(57)【要約】【課題】埋め込みコードを用いたスキャンガード機能による複製制御では、埋め込みコードを検出できない原稿に関して、複製を禁止して出力が実行されないよう制御される。この複製制御では、挿入紙（白紙）を含む原稿を複製する場合に、原稿の複製が中止されてしまう。そのため、ユーザは、挿入紙（白紙）を含む原稿を複製する際は、一旦挿入紙（白紙）を抜きとって複製を実行した後、挿入紙（白紙）を手作業でいれなければならず、非常に煩わしい。【解決手段】埋め込みコードが検出できなかった場合に、白紙原稿を複製許可原稿として扱い、複製を継続する。これにより、従来のように挿入紙（白紙）を手作業で抜き差しする必要が無くなる。【選択図】図２
2015115702.tif 000002
【特許請求の範囲】
【請求項１】
原稿を複製する装置であって、
前記原稿に存在するコードに基づき前記原稿の複製を許可するか否かが判断され、
複製許可を示すコードが存在しない白紙原稿を、複製許可原稿として処理することを特徴とする装置。
【請求項２】
複製許可を示すコードは存在しないが白紙ではない原稿を、複製禁止原稿として処理することを特徴とする請求項１に記載の装置。
【請求項３】
原稿を読み取って画像データを取得する取得手段と、
前記原稿に存在するコードを検出する検出手段と、
前記検出したコードをデコードするデコード手段と、
前記取得した画像データに基づき出力する出力手段と
を備える装置であって、
前記原稿が、複製許可を示すコードが存在しない白紙原稿であった場合、前記出力手段による出力は実行され、
前記原稿が、複製許可を示すコードは存在しないが白紙ではない原稿であった場合、前記出力手段による出力は実行されないことを特徴とする装置。
【請求項４】
前記出力手段は、前記取得した画像データに基づき用紙に画像を印刷する印刷手段であることを特徴とする請求項３に記載の装置。
【請求項５】
前記出力手段は、ネットワークを介して、前記取得した画像データを電子データとして送信する送信手段であることを特徴とする請求項３に記載の装置。
【請求項６】
前記原稿が、複製許可を示すコードが存在しない白紙原稿であった場合、前記出力手段による出力を実行させるか否かを設定する設定手段をさらに備えることを特徴とする請求項３に記載の装置。
【請求項７】
原稿を複製する方法であって、
前記原稿に存在するコードに基づき前記原稿の複製を許可するか否かを判断する判断ステップを備え、
複製許可を示すコードが存在しない白紙原稿は、複製許可原稿として処理されることを特徴とする方法。
【請求項８】
原稿を読み取って画像データを取得する取得ステップと、
前記原稿に存在するコードを検出する検出ステップと、
前記検出したコードをデコードするデコードステップと、
前記取得した画像データに基づき出力する出力ステップと
を備える方法であって、
前記原稿が、複製許可を示すコードが存在しない白紙原稿であった場合、前記出力ステップにおける出力は、実行され、
前記原稿が、複製許可を示すコードは存在しないが白紙ではない原稿であった場合、前記出力ステップにおける出力は、実行されないことを特徴とする方法。
【請求項９】
コンピュータを、請求項１乃至６の何れかに記載の装置として機能させるための、プログラム。
【発明の詳細な説明】
【技術分野】
【０００１】
本発明は、装置、方法、及びプログラムに関する。具体的には、本発明は、紙媒体の複製が許可又は禁止されているかを原稿に付加された埋め込みコードに基づき判断する装置、方法、及びプログラムに関する。
【背景技術】
【０００２】
原稿を複製する際に、複製許可や複製禁止を示す情報をコードとして埋め込んで用紙に印刷及び排出し、後の複製を制限するジョブロック機能がある。ここでいう後の複製とは、排出された原稿をスキャンすることと、スキャンした画像を用紙に印刷することと、印刷した用紙を排出することとにより実行される。
【０００３】
このジョブロック機能を開示した文献として、特許文献１がある。特許文献１では、原稿に印刷されたコードに埋め込まれた情報が、複製許可を示す場合のみ、原稿の複製を許可する。また、特許文献１では、コードに埋め込まれた情報が複製禁止を示す場合、もしくは、コードを検出できなかった場合は、その原稿の複製を許可せず複製プロセスを中止する。さらに、特許文献１では、複数ページの原稿を複製する際に任意のページの原稿でコードを検出できなかった場合は、その原稿（例えば、３ページ目の原稿）の複製だけでなく、その後の原稿（例えば、４ページ目、５ページ目の原稿）の複製すらも中止している。しかし、そうすると、挿入紙のような何も印刷されていない原稿が、読み取り原稿の中に（例えば、３ページ目の原稿として）含まれている場合に、その挿入紙以降の原稿（例えば、４ページ目、５ページ目の原稿）の複製がなされないという課題がある。
【０００４】
この課題を解決する技術として、特許文献２に記載の技術がある。この技術では、画像スキャンによって原稿からコードを検出できなかった場合、コードを検出できなかったページの前ページが複製許可原稿であれば、そのコードを検出できなかった原稿を複製せず、代わりに白紙を出力し、その後の原稿を継続的に複製する。
【先行技術文献】
【特許文献】
【０００５】
【特許文献１】特開2009-284472号公報
【特許文献２】特開2012-142900号公報
【発明の概要】
【発明が解決しようとする課題】
【０００６】
このように、前述した特許文献２では、コードを検出できなかった原稿に関しては、白紙出力で対応するため、紙の無駄が発生していた。本発明は、特許文献１の原稿に挿入紙が入ると複製が中断される課題、及び、特許文献２の画像ありコードなし原稿と、白紙原稿とを区分できず、無駄に白紙出力する課題を改善することを目的とする。
【課題を解決するための手段】
【０００７】
本発明は、前述した課題を鑑みてなされたものである。本発明は、原稿を複製する装置であって、前記原稿に存在するコードに基づき前記原稿の複製を許可するか否かが判断され、複製許可を示すコードが存在しない白紙原稿を、複製許可原稿として処理することを特徴とする装置である。
【発明の効果】
【０００８】
本発明により、原稿を複製する際に、従来のセキュリティレベルを維持したまま、無駄な白紙出力を減らすことができる。
【図面の簡単な説明】
【０００９】
【図１】本発明に係る複合機のハードウエア構成を示したブロック図である。
【図２】実施例１に係るページ読み取り処理のフローチャートである。
【図３】実施例１に係る白紙スキップ設定画面の一例を示した図である。
【図４】実施例１に係る白紙スキップ「する」設定をして、画像ありＱＲコードなし原稿を含む原稿を複製した場合の説明図である。
【図５】実施例１に係る白紙スキップ「しない」設定をして、画像ありＱＲコードなし原稿を含む原稿を複製した場合の説明図である。
【図６】実施例１に係る白紙スキップ「する」設定をして、画像なしＱＲコードなし原稿を含む原稿を複製した場合の説明図である
【図７】実施例１に係る白紙スキップ「しない」設定をして、画像なしＱＲコードなし原稿を含む原稿を複製した場合の説明図である
【図８】実施例１に係る白紙スキップ「する」設定をして、原稿を複製した場合の説明図である。
【図９】実施例１に係る白紙スキップ「しない」設定をして、原稿を複製した場合の説明図である。
【発明を実施するための形態】
【００１０】
（各実施例に共通する事項）
以下、本発明を実施するための最良の形態について図面を用いて説明する。ただし、以下に記載されている構成はあくまで例示であり、本発明の範囲をそれらに限定する趣旨のものではない。
【００１１】
図１は、本発明に係る画像形成装置の具体例である複合機の構成を示すブロック図である。複合機１００は、制御部１０１と、スキャナ部１０２と、印刷部１０３と、受付部１０４と、表示部１０５と、送信部１０６と、デコーダ１０７と、記憶装置１０８とから構成される。これらのコンポーネントは図示しないバスによって接続されており、各コンポーネントはバスを介して他のコンポーネントとデータのやり取りが可能である。複合機１００は、画像複製装置として機能する。なお、複合機１００は、印刷機、複写機など、他の画像複製装置に置き換えることができる。
【００１２】
記憶装置１０８には、後述する本発明に係るフローチャートに示される処理を実行するためのプログラムを含む、各種データが格納されている。制御部１０１は、そのプログラムを実行することにより複合機１００が備えている他の各コンポーネントを制御し、複合機１００を統括的に制御して、処理を実行する。
【００１３】
スキャナ部１０２は、図示しない給紙部から順次給紙された原稿を光学的に読み取り、画像データを生成する。スキャナ部１０２は、原稿を複数枚連続で読み取ること及び原稿の両面を読み取ることが可能である。スキャナ部１０２で原稿を読み取ることによって生成された画像データは、記憶装置１０８に格納される。
【００１４】
印刷部１０３は、記憶装置１０８から読み出した画像データに基づき、用紙に画像を印刷する。印刷部１０３は、両面印刷が可能である。また、印刷部１０３で用紙に画像を印刷せず、図示しない排出トレイから白紙を排出すること（以降、「白紙出力」と呼ぶ。）も可能である。スキャナ部１０２で原稿を読み取り、印刷部１０３で用紙に画像を印刷し、印刷した用紙を排出トレイから排出することで複製機能が実現される。受付部１０４は、キー（ハードキーやソフトキー）入力を受け付けることにより、複製の実行指示や、複製に関連する設定指示を受け付けることができる。表示部１０５は、複製の状況、複製の状況などに基づくアラーム並びにエラー、及び複製に関連する設定などを表示する。
【００１５】
送信部１０６は、ネットワーク１０９に接続されている。送信部１０６は、スキャナ部１０２で原稿を読み取ることによって生成され記憶装置１０８に格納された画像データを、E-Mail等の電子データとして、ネットワーク１０９を介して送信する。以降、送信部１０６が有するこの機能を「送信機能」と呼ぶ。
【００１６】
スキャナ部１０２で読み取られた画像から二次元コードであるＱＲコード（登録商標）を制御部１０１が検出した場合、そのＱＲコードはデコーダ１０７に送られ、デコーダ１０７によってデコードされる。なお、スキャナ部１０２は、バーコードやＬＶＢＣ（Low Visibility Bar Code）などの他のコードを読み取ることもできる。こうしたコードを読み取った際も、ＱＲコードに対して行う後述の処理と同様の処理を行うことで本発明を実現することができる。
【００１７】
本発明に係る複合機１００は、印刷部１０３や送信部１０６による画像データの出力を制限するジョブロック機能を有する。制御部１０１は、スキャナ部で読み取られた画像からＱＲコードを検出する。原稿に付加されているＱＲコードとは、具体的には、その原稿が複製許可されていることを示す複製許可コード、もしくは、その原稿が複製禁止されていることを示す複製禁止コードである。制御部１０１は、ＱＲコードを検出した場合に、そのＱＲコードをデコーダ１０７にデコードさせる。デコードの結果、制御部１０１が複製許可コードを検出した場合にのみ、印刷部１０３による印刷や、送信部１０６による送信を実行させる。また、制御部１０１がＱＲコードを検出できなかった場合であって、スキャナ部１０２で読み取られた画像が白紙であると判断した場合、白紙出力や、送信部１０６による白紙データ送信を実行させる。さらに、制御部１０１がＱＲコードを検出できなかった場合であって、スキャナ部１０２で読み取られた画像が白紙でないと判断した場合、印刷部１０３による画像印刷及び送信部１０６による画像データの送信を実行させない。
【００１８】
原稿１１０には、複製許可コード１１１が付加されている。そのため、複製許可コード１１１をデコーダ１０７でデコードすると、制御部１０１が複製許可コード１１１を検出し、印刷部１０３や送信部１０６から複製許可コード１１３が付加された複製画像１１２が出力される。複製許可コード１１１は、ＱＲコード、バーコード、又はＬＶＢＣなどの形式で原稿１１０に付加されている。なお、以下に説明する複製禁止コード１１５についても同様に、ＱＲコード、バーコード、又はＬＶＢＣなどの形式で原稿１１４に付加されている。
【００１９】
原稿１１４には、複製禁止コード１１５が付加されている。そのため、複製禁止コード１１５をデコーダ１０７でデコードすると、制御部１０１が複製禁止コード１１５を検出し、複合機１００は原稿１１４の複製を行わない。
【００２０】
原稿１１６は、ＱＲコードが付加されていない原稿もしくはＱＲコードを検出することができない原稿である。例えば、原稿１１６は、画像ありでＱＲコードなし原稿１１７であっても良いし、画像なしでＱＲコードなし原稿１１８であっても良い。スキャナ部１０２が画像ありＱＲコードなし原稿１１７を読み込んだ場合は、制御部１０１は、印刷部１０３による画像印刷及び送信部１０６による画像データ送信を実行させない。スキャナ部１０２が画像なしＱＲコードなし原稿（いわゆる白紙原稿）１１８を読み込んだ場合は、制御部１０１は、白紙出力や、送信部１０６による白紙データ送信を実行させる。
【００２１】
（実施例１）
図２は、本実施例における複合機１００によって実行される１枚の原稿読み取り処理（ページ読み取り処理）のフローチャートである。なお、図中の符号Ｓ２０１〜Ｓ２０９は、当該処理の各ステップを表す（以降、例えば「ステップＳ２０１」を「Ｓ２０１」などと略記する）。各ステップの処理は、複合機１００内の制御部１０１が記憶装置１０８内部のプログラムを実行し、複合機１００の各コンポーネントを制御することにより実行される。以下、ページ読み取り処理の詳細を説明する。
【００２２】
「スタート」ボタン押下によるユーザからの指示を受付部１０４が受け付けると、本フローが開始される。
【００２３】
まずＳ２０１において、スキャナ部１０２は、原稿を読み取る。次いで、Ｓ２０２に進む。
【００２４】
Ｓ２０２において、制御部１０１は、Ｓ２０１での原稿読み取りにより取得した画像から埋め込みコードを検出できたか否かを判断する。判断の結果、制御部１０１が埋め込みコードを検出できた場合、Ｓ２０３に進み、制御部１０１が埋め込みコードを検出できなかった場合、Ｓ２０６に進む。
【００２５】
Ｓ２０３において、デコーダ１０７は、埋め込みコードをデコードする。次いで、Ｓ２０４に進む。
【００２６】
Ｓ２０４において、制御部１０１は、Ｓ２０３でデコードした埋め込みコードが複製許可コードと、複製禁止コードとの何れであるかを判断する。判断の結果、埋め込みコードが複製許可コードの場合、Ｓ２０５に進み、埋め込みコードが複製禁止コードの場合、Ｓ２０７に進む。
【００２７】
Ｓ２０５において、制御部１０１は、複製許可処理を行い、１枚の原稿読み取り処理は終了する。
【００２８】
Ｓ２０６において、制御部１０１は、Ｓ２０１で読み込んだ原稿が白紙か否かを判断する。判断の結果、読み込んだ原稿が白紙の場合は、Ｓ２０８に進み、読み込んだ原稿が白紙でない場合は、Ｓ２０７に進む。
【００２９】
Ｓ２０７において、制御部１０１は、複製禁止処理を行い、１枚の原稿読み取り処理は終了する。複製禁止処理とは、原稿の複製を実行させない処理である。
【００３０】
Ｓ２０８において、制御部１０１は、白紙スキップ設定がされているか否かを判断する。なお、ユーザが図３に示す操作画面上で「する」ボタン３０１を押下して、原稿が白紙の場合に、白紙ページを複製せずスキップするよう設定しても良いし、「しない」ボタン３０２を押下して、白紙ページをスキップせずそのまま複製するよう設定しても良い。判断の結果、白紙ステップを実行するよう設定されている場合は、Ｓ２０９に進み、白紙ステップを実行しないよう設定されている場合は、Ｓ２０５に進む。
【００３１】
Ｓ２０９において、制御部１０１は、白紙スキップ処理を行い、１枚の原稿読み取り処理は終了する。
【００３２】
図４は、本実施例に係る処理の一例を示した図である。図４を参照すると、８枚の原稿で構成された原稿４００の内の５枚目に、画像ありＱＲコードなし原稿４０６がある。原稿４００をスキャナ部１０２に置き、「する」ボタン３０１を押下して白紙スキップを実行するよう設定した状態で、「スタート」ボタン押下により複製を開始すると、セキュリティを保障したまま原稿を複製するために、結果物として出力４１０が得られる。
【００３３】
原稿４００は、複数枚の原稿４０２〜４０９で構成される。原稿４０６を除く原稿４０２〜４０９には、複製許可コードであるＱＲコード４０１が印刷されている。原稿４０６には、画像は印刷されているが、ＱＲコードは印刷されていない。
【００３４】
出力４１０は、原稿４００を複製した場合の出力結果であり、出力４１２〜４１５及び出力４１７〜４１９で構成される。出力４１２〜４１５及び出力４１７〜４１９はそれぞれ、原稿４０２〜４０５及び原稿４０７〜４０９に対応する出力結果である。出力４１２〜４１５及び出力４１７〜４１９には、複製許可コードであるＱＲコード４１１が印刷されている。原稿４０６に対応する出力は存在しない。
【００３５】
図４の例では、原稿４０６を除く原稿４０２〜４０９には、複製許可コードであるＱＲコード４０１が印刷されているため、図２のＳ２０１、Ｓ２０２、Ｓ２０３、Ｓ２０４、Ｓ２０５の処理が実行され、原稿はそのまま複製される。原稿４０６については、ＱＲコードが印刷されておらず、かつ、白紙スキップを実行するよう設定されているため、図２のＳ２０１、Ｓ２０２、Ｓ２０６、Ｓ２０７の処理が実行され、原稿は複製されない。これは、原稿４０６が複製禁止原稿として取り扱われたことを意味する。
【００３６】
図５は、本実施例に係る処理の一例を示した図である。図５を参照すると、８枚の原稿で構成された原稿５００の内の５枚目に、画像ありＱＲコードなし原稿５０６がある。原稿５００をスキャナ部１０２に置き、「しない」ボタン３０２を押下して白紙スキップを実行しないよう設定した状態で、「スタート」ボタン押下により複製を開始すると、セキュリティを保障したまま原稿を複製するために、結果物として出力５１０が得られる。
【００３７】
原稿５００は、複数枚の原稿５０２〜５０９で構成される。原稿５０６を除く原稿５０２〜５０９には、複製許可コードであるＱＲコード５０１が印刷されている。原稿５０６には、画像は印刷されているが、ＱＲコードは印刷されていない。
【００３８】
出力５１０は、原稿５００を複製した場合の出力結果であり、出力５１２〜５１５及び出力５１７〜５１９で構成される。出力５１２〜５１５及び出力５１７〜５１９はそれぞれ、原稿５０２〜５０５及び原稿５０７〜５０９に対応する出力結果である。出力５１２〜５１５及び出力５１７〜５１９には、複製許可コードであるＱＲコード５１１が印刷されている。原稿５０６に対応する出力は存在しない。
【００３９】
図５の例では、原稿５０６を除く原稿５０２〜５０９には、複製許可コードであるＱＲコード５０１が印刷されているため、図２のＳ２０１、Ｓ２０２、Ｓ２０３、Ｓ２０４、Ｓ２０５の処理が実行され、原稿はそのまま複製される。原稿５０６については、ＱＲコードが印刷されておらず、かつ、白紙スキップを実行しないよう設定されているため、図２のＳ２０１、Ｓ２０２、Ｓ２０６、Ｓ２０７の処理が実行され、原稿は複製されない。
【００４０】
図６は、本実施例における処理の一例を示した図である。図６を参照すると、８枚の原稿で構成された原稿６００の内の５枚目に、画像なしＱＲコードなし原稿６０６がある。原稿６００をスキャナ部１０２に置き、「する」ボタン３０１を押下して白紙スキップを実行するよう設定した状態で、「スタート」ボタン押下により複製を開始すると、セキュリティを保障したまま原稿を複製するために、結果物として出力６１０が得られる。
【００４１】
原稿６００は、複数枚の原稿６０２〜６０９で構成される。原稿６０６を除く原稿６０２〜６０９には、複製許可コードであるＱＲコード６０１が印刷されている。原稿６０６には、画像は印刷されておらず、ＱＲコードも印刷されていない。原稿６０６は、白紙原稿である。
【００４２】
出力６１０は、原稿６００を複製した場合の出力結果であり、出力６１２〜６１５及び出力６１７〜６１９で構成される。出力６１２〜６１５及び出力６１７〜６１９はそれぞれ、原稿６０２〜６０５及び原稿６０７〜６０９に対応する出力結果である。出力６１２〜６１５及び出力６１７〜６１９には、複製許可コードであるＱＲコード６１１が印刷されている。原稿６０６に対応する出力は存在しない。
【００４３】
図６の例では、原稿６０６を除く原稿６０２〜６０９には、複製許可コードであるＱＲコード６０１が印刷されているため、図２のＳ２０１、Ｓ２０２、Ｓ２０３、Ｓ２０４、Ｓ２０５の処理が実行され、原稿はそのまま複製される。原稿６０６については、ＱＲコードが印刷されていない白紙原稿であり、かつ、白紙スキップを実行するよう設定されているため、図２のＳ２０１、Ｓ２０２、Ｓ２０６、Ｓ２０８、Ｓ２０９の処理が実行され、原稿は複製されず、白紙出力も実行されない。
【００４４】
図７は、本実施例における処理の一例を示した図である。図７を参照すると、８枚の原稿で構成された原稿７００の内の５枚目に、画像なしＱＲコードなし原稿７０６がある。原稿７００をスキャナ部１０２に置き、「しない」ボタン３０２を押下して白紙スキップを実行しないよう設定した状態で、「スタート」ボタン押下により複製を開始すると、セキュリティを保障したまま原稿を複製するために、結果物として出力７１０が得られる。
【００４５】
原稿７００は、複数枚の原稿７０２〜７０９で構成される。原稿７０６を除く原稿７０２〜７０９には、複製許可コードであるＱＲコード７０１が印刷されている。原稿７０６には、画像は印刷されておらず、ＱＲコードも印刷されていない。原稿７０６は、白紙原稿である。
【００４６】
出力７１０は、原稿７００を複製した場合の出力結果であり、出力７１２〜７１５及び出力７１７〜７１９で構成される。出力７１２〜７１５及び出力７１７〜７１９はそれぞれ、原稿７０２〜７０５及び原稿７０７〜７０９に対応する出力結果である。出力７１２〜７１５及び出力７１７〜７１９には、複製許可コードであるＱＲコード７１１が印刷されている。原稿７０６に対応する出力は、出力７１６である。これは、原稿７０６が複製許可原稿として取り扱われたことを意味する。
【００４７】
図７の例では、原稿７０６を除く原稿７０２〜７０９には、複製許可コードであるＱＲコード７０１が印刷されているため、図２のＳ２０１、Ｓ２０２、Ｓ２０３、Ｓ２０４、Ｓ２０５の処理が実行され、原稿はそのまま複製される。原稿７０６については、ＱＲコードが印刷されていない白紙原稿であり、かつ、白紙スキップを実行しないよう設定されているため、図２のＳ２０１、Ｓ２０２、Ｓ２０６、Ｓ２０８、Ｓ２０５の処理が実行され、原稿はそのまま複製される。即ち、白紙出力が実行される。
【００４８】
図８は、本実施例における処理の一例を示した図である。図８を参照すると、８枚の原稿で構成された原稿８００の内に、複数枚の画像ありＱＲコードなし原稿及び複数枚の画像なしＱＲコードなし原稿が含まれている。原稿８００をスキャナ部１０２に置き、「する」ボタン３０１を押下して白紙スキップを実行するよう設定した状態で、「スタート」ボタン押下により複製を開始すると、セキュリティを保障したまま原稿を複製するために、結果物として出力８１０が得られる。
【００４９】
原稿８００は、複数枚の原稿８０２〜８０９で構成される。原稿８０２、原稿８０５、原稿８０８、原稿８０９には、複製許可コードであるＱＲコード８０１が印刷されている。原稿８０４、原稿８０６には、画像は印刷されているが、ＱＲコードは印刷されていない。原稿８０３、原稿８０７には、画像は印刷されておらず、ＱＲコードも印刷されていない。原稿８０３及び原稿８０７は、白紙原稿である。
【００５０】
出力８１０は、原稿８００を複製した場合の出力結果であり、出力８１２、出力８１５、出力８１８、出力８１９で構成される。出力８１２、出力８１５、出力８１８、出力８１９はそれぞれ、原稿８０２、原稿８０５、原稿８０８、原稿８０９に対応する出力結果である。出力８１２、出力８１５、出力８１８、出力８１９には、複製許可コードであるＱＲコード８１１が印刷されている。原稿８０３、原稿８０４、原稿８０６、原稿８０７に対応する出力は存在しない。
【００５１】
図８の例では、原稿８０２、原稿８０５、原稿８０８、原稿８０９には、複製許可コードであるＱＲコード８０１が印刷されているため、図２のＳ２０１、Ｓ２０２、Ｓ２０３、Ｓ２０４、Ｓ２０５の処理が実行され、原稿はそのまま複製される。原稿８０４、原稿８０６については、画像は印刷されているがＱＲコードが印刷されておらず、かつ、白紙スキップを実行するよう設定されているため、図２のＳ２０１、Ｓ２０２、Ｓ２０６、Ｓ２０７の処理が実行され、原稿は複製されない。原稿８０３、原稿８０７については、ＱＲコードが印刷されていない白紙原稿であり、かつ、白紙スキップを実行するよう設定されているため、図２のＳ２０１、Ｓ２０２、Ｓ２０６、Ｓ２０８、Ｓ２０９の処理が実行される。よって、原稿は複製されず、白紙出力も実行されない。
【００５２】
図９は、本実施例における処理の一例を示した図である。図９を参照すると、８枚の原稿で構成された原稿９００の内に、複数枚の画像ありＱＲコードなし原稿及び複数枚の画像なしＱＲコードなし原稿が含まれている。原稿９００を、スキャナ部１０２に置き、「しない」ボタン３０２を押下して白紙スキップを実行しないよう設定した状態で「スタート」ボタン押下により複製を開始すると、セキュリティを保障したまま原稿を複製するために、結果物として出力９１０が得られる。
【００５３】
原稿９００は、複数枚の原稿９０２〜９０９で構成される。原稿９０２、原稿９０５、原稿９０８、原稿９０９には、複製許可コードであるＱＲコード９０１が印刷されている。原稿９０４、原稿９０６には、画像は印刷されているが、ＱＲコードは印刷されていない。原稿９０３、原稿９０７には、画像は印刷されておらず、ＱＲコードも印刷されていない。原稿９０３及び原稿９０７は、白紙原稿である。
【００５４】
出力９１０は、原稿９００を複製した場合の出力結果であり、出力９１２、出力９１３、出力９１５、出力９１７、出力９１８、出力９１９で構成される。出力９１２、出力９１５、出力９１８、出力９１９はそれぞれ、原稿９０２、原稿９０５、原稿９０８、原稿９０９に対応する出力結果である。出力９１２、出力９１５、出力９１８、出力９１９には、複製許可コードであるＱＲコード９１１が印刷されている。出力９１３、出力９１７はそれぞれ、原稿９０３、原稿９０７に対応する出力結果であり、白紙出力である。これは、原稿９０３及び原稿９０７が複製許可原稿として取り扱われたことを意味する。原稿９０４、原稿９０６に対応する出力は存在しない。
【００５５】
図９の例では、原稿９０２、原稿９０５、原稿９０８、原稿９０９には、複製許可コードであるＱＲコード９０１が印刷されているため、図２のＳ２０１、Ｓ２０２、Ｓ２０３、Ｓ２０４、Ｓ２０５の処理が実行され、原稿はそのまま複製される。原稿９０４、原稿９０６については、ＱＲコードが印刷されておらず、画像が印刷されており、かつ、白紙スキップを実行しないよう設定されているため、図２のＳ２０１、Ｓ２０２、Ｓ２０６、Ｓ２０７の処理が実行され、原稿は複製されない。原稿９０３、原稿９０７については、ＱＲコードが印刷されていない白紙原稿であり、かつ、白紙スキップを実行しないよう設定されているため、図２のＳ２０１、Ｓ２０２、Ｓ２０６、Ｓ２０８、Ｓ２０５の処理が実行され、原稿はそのまま複製される。即ち、白紙出力が実行される。
【００５６】
（その他の実施例）
本発明の目的は、前述した実施例の機能を実現するソフトウエアのプログラムコードを記録した記憶媒体を、システム又は装置に供給し、システム又は装置（具体的にはＣＰＵやＭＰＵ）がプログラムコードを読み出し実行することによっても、達成される。この場合、記憶媒体から読み出されたプログラムコード自体が前述した実施例の機能を実現することとなり、そのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤ等を用いることが出来る。
【００５８】
また、コンピュータが読み出したプログラムコードを実行することにより、前述した実施例の機能が実現されるだけでなく、そのプログラムコードの指示に基づき、コンピュータ上で稼動しているＯＳが実際の処理の一部又は全部を行っても良い。ＯＳの処理によって前述した実施例の機能が実現される場合も、本発明の範囲に含まれる。
【００５９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、処理が実行されても良い。また、機能拡張ボードや機能拡張ユニットに備わるＣＰＵが実際の処理の一部又は全部を実行しても良く、機能拡張ボードや機能拡張ユニットに備わるＣＰＵの実行処理によって前述した実施例の機能が実現される場合も、本発明の範囲に含まれる。
【００６０】
また、前述の実施例の機能を実現するためのプログラムコードを、１つのコンピュータ（ＣＰＵ、ＭＰＵ）で実行しても良いし、複数のコンピュータが協働することによって実行しても良い。更に、プログラムコードをコンピュータが実行しても良いし、プログラムコードの機能を実現するための回路等のハードウエアを設けても良い。または、プログラムコードの一部をハードウエアで実現し、残りの部分をコンピュータが実行しても良い。
【図１】
2015115702.tif 000003
【図２】
2015115702.tif 000004
【図３】
2015115702.tif 000005
【図４】
2015115702.tif 000006
【図５】
2015115702.tif 000007
【図６】
2015115702.tif 000008
【図７】
2015115702.tif 000009
【図８】
2015115702.tif 000010
【図９】
2015115702.tif 000011